(57)【特許請求の範囲】
【請求項１】
モバイルデバイスにおける報告イベントに対応するメッセージを送信することであって、前記報告イベントが、前記メッセージに対する返答の復号に前記モバイルデバイスが成功する見込みを低下させるネットワーク状態に関連付けられることと、
前記メッセージの送信に応答して、前記モバイルデバイスの信号対干渉比（ＳＩＲ）目標を増大させることとを備え、
前記モバイルデバイスの前記ＳＩＲ目標が、測定された信号の特性の値が指定範囲内であるかどうかに少なくとも部分的に基づいて増大され、
前記ＳＩＲ目標が、前記モバイルデバイスにおける前記報告イベントの検出後の評価時間ウィンドウ内に、前記特性の前記値が前記指定範囲内であるという判断を条件として増大される、
方法。
【請求項２】
前記モバイルデバイスにおいて、前記測定された信号の前記特性の前記値が前記指定範囲内であるかどうか判断することをさらに備え、前記測定された信号が、ワイヤレスネットワークのネットワークデバイスから受信される、請求項１に記載の方法。
【請求項３】
前記測定された信号がパイロットチャネル信号を含む、請求項１に記載の方法。
【請求項４】
前記特性の前記値が、前記モバイルデバイスによって測定された、受信パイロットチャネルエネルギーと総受信エネルギーとの比（ＣＰＩＣＨ  Ｅｃ／Ｉｏ）のフィルタリングされた値を含む、請求項３に記載の方法。
【請求項５】
前記ＣＰＩＣＨ  Ｅｃ／Ｉｏの前記フィルタリングされた値が−１４ｄＢ以下のとき、前記ＣＰＩＣＨ  Ｅｃ／Ｉｏの前記フィルタリングされた値が前記指定範囲内である、請求項４に記載の方法。
【請求項６】
前記ＣＰＩＣＨ  Ｅｃ／Ｉｏの前記フィルタリングされた値が、測定されたＣＰＩＣＨ  Ｅｃ／ＩｏとフィルタリングされたＣＰＩＣＨ  Ｅｃ／Ｉｏとの間の差が差閾値を超えるかどうかに少なくとも部分的に基づいて判断されるフィルタ平均化間隔（ａ）の値により判断される、請求項４に記載の方法。
【請求項７】
前記差閾値が３に等しい、請求項６に記載の方法。
【請求項８】
前記測定されたＣＰＩＣＨ  Ｅｃ／Ｉｏと前記フィルタリングされたＣＰＩＣＨ  Ｅｃ／Ｉｏとの間の前記差が前記差閾値を超え、平均化間隔（Ｋ）の前記値が下限よりも大きいことに応答して、前記フィルタ平均化間隔（ａ）の前記値を増加させることと、
前記測定されたＣＰＩＣＨ  Ｅｃ／Ｉｏと前記フィルタリングされたＣＰＩＣＨ  Ｅｃ／Ｉｏとの間の前記差が、あらかじめ規定された逐次比較回数についての前記差閾値を超えず、前記平均化間隔（Ｋ）の前記値が上限未満であることに応答して、前記フィルタ平均化間隔（ａ）の前記値を減少させることとをさらに備える、請求項６に記載の方法。
【請求項９】
前記返答が、確認応答メッセージおよびアクティブセット更新メッセージのうち少なくとも１つを含む、請求項１に記載の方法。
【請求項１０】
モバイルデバイスによって測定された、受信パイロットチャネルエネルギーと総受信エネルギーとの比（ＣＰＩＣＨ  Ｅｃ／Ｉｏ）を適応フィルタリングすることであって、前記適応フィルタリングが、短縮期間中に無限インパルス応答（ＩＩＲ）フィルタの平均化間隔（Ｋ）を短縮して、前記ＣＰＩＣＨ  Ｅｃ／Ｉｏのフィルタリングされた値における大きい瞬間誤差への高速適応を提供することを含み、その後に再成長期間中の前記平均化間隔（Ｋ）の再成長が続き、前記再成長期間が前記短縮期間よりも長いことと、
前記ＣＰＩＣＨ  Ｅｃ／Ｉｏの前記フィルタリングされた値が指定範囲内であるかどうかに少なくとも部分的に基づいて、前記モバイルデバイスの信号対干渉比（ＳＩＲ）目標を増大させることとを備える方法。
【請求項１１】
前記モバイルデバイスにおいて、前記ＣＰＩＣＨ  Ｅｃ／Ｉｏの前記フィルタリングされた値が前記指定範囲内であるかどうか判断することをさらに備える、請求項１０に記載の方法。
【請求項１２】
測定された信号の特性が指定範囲内の値をもつかどうか判断するように構成され、前記測定された信号が、ワイヤレスネットワークのネットワークデバイスから受信される、比較器と、
前記特性の前記値が報告イベントの検出後の評価時間ウィンドウ内に、前記指定範囲内であるかどうかに少なくとも部分的に基づき、および前記報告イベントに対応するメッセージの送信に応答して、信号対干渉比（ＳＩＲ）目標を増大させるように構成され、前記報告イベントが、前記メッセージに対する返答の復号にモバイルデバイスが成功する見込みを低下させるネットワーク状態に関連付けられる、ＳＩＲ目標調整器とを備えるモバイルデバイス。
【請求項１３】
前記測定された信号がパイロット信号を含み、前記特性の前記値が、受信パイロットチャネルエネルギーと総受信エネルギーとの比（ＣＰＩＣＨ  Ｅｃ／Ｉｏ）のフィルタリングされた値を含む、請求項１２に記載のモバイルデバイス。
【請求項１４】
測定された信号の特性が指定範囲内の値をもつかどうか判断するように構成され、前記測定された信号が、ワイヤレスチャネルのモバイルデバイスを介して受信される、比較器と、
前記特性の前記値が前記指定範囲内であるかどうかに少なくとも部分的に基づき、および前記モバイルデバイスへの、報告イベントに対応するメッセージの送信に応答して、前記モバイルデバイスからのアップリンクについての信号対干渉比（ＳＩＲ）目標を増大させるように構成され、前記報告イベントが、前記メッセージに対する返答の復号にネットワークデバイスが成功する見込みを低下させるネットワーク状態に関連付けられる、ＳＩＲ目標調整器とを備え、
前記ＳＩＲ目標が、前記報告イベントの検出後の評価時間ウィンドウ内に、前記特性の前記値が前記指定範囲内であるという判断を条件として増大される、
ネットワークデバイス。
【請求項１５】
前記測定された信号がパイロットチャネル信号を含み、前記特性の前記値が、受信パイロットチャネルエネルギーと総受信エネルギーとの比（ＣＰＩＣＨ  Ｅｃ／Ｉｏ）のフィルタリングされた値を含む、請求項１４に記載のネットワークデバイス。
【請求項１６】
測定された信号の特性が、指定範囲内の値をもつかどうか判断し、前記測定された信号が、ワイヤレスネットワークを介して受信される、手段と、
前記特性の前記値が前記指定範囲内であるかどうかに少なくとも部分的に基づき、および報告イベントに対応するメッセージの送信に応答して、モバイルデバイスの信号対干渉（ＳＩＲ）目標を増大させ、前記報告イベントが前記メッセージに対する返答を復号する見込みを低下させるネットワーク状態に関連付けられる、手段とを備え、
前記ＳＩＲ目標が、前記モバイルデバイスにおける前記報告イベントの検出後の評価時間ウィンドウ内に、前記特性の前記値が前記指定範囲内であるという判断を条件として増大される、
装置。
【請求項１７】
前記測定された信号がパイロットチャネル信号を含む、請求項１６に記載の装置。
【請求項１８】
プロセッサによって実行されると、前記プロセッサに、
メッセージに対する返答の復号にモバイルデバイスが成功する見込みを低下させるネットワーク状態に関連付けられる、前記モバイルデバイスにおける報告イベントに対応する前記メッセージを送信させ、
前記メッセージの送信に応答して、前記モバイルデバイスの信号対干渉比（ＳＩＲ）目標を増大させる命令を備え、
前記モバイルデバイスの前記ＳＩＲ目標が、測定された信号の特性の値が指定範囲内であるかどうかに少なくとも部分的に基づいて増大され、
前記ＳＩＲ目標が、前記モバイルデバイスにおける前記報告イベントの検出後の評価時間ウィンドウ内に、前記特性の前記値が前記指定範囲内であるという判断を条件として増大される、
非一時的プロセッサ可読媒体。
【請求項１９】
前記返答が、確認応答メッセージおよびアクティブセット更新メッセージのうち少なくとも１つを含み、前記測定された信号がパイロットチャネル信号を含む、請求項１８に記載の非一時的プロセッサ可読媒体。
【請求項２０】
ネットワークデバイスによって、モバイルデバイスによって受信された信号を送ることと、
前記モバイルデバイスによって、報告イベントに対応するメッセージを送信することであって、前記報告イベントが、前記メッセージに対する返答の復号に成功する見込みを低下させるネットワーク状態に関連付けられることと、
前記モバイルデバイスにおいて、前記信号の特性が指定範囲内の値をもつかどうか判断し、前記特性の前記値が前記報告イベントの検出後の評価時間ウィンドウ内に、前記指定範囲内であるかどうかに少なくとも部分的に基づき、および前記メッセージの送信に応答して、信号対干渉（ＳＩＲ）目標を増大させることと、
前記ネットワークデバイスによって、前記増大ＳＩＲ目標に従って前記モバイルデバイスに前記返答を送信することとを備える方法。
【請求項２１】
信号を送るように構成されたネットワークデバイスと、
前記ネットワークデバイスから前記信号を受信し、
メッセージに対する返答の復号に成功する見込みを低下させるネットワーク状態に関連付けられる報告イベントに対応する前記メッセージを送信し、
前記信号の特性が前記報告イベントの検出後の評価時間ウィンドウ内に、指定範囲内の値をもつかどうか判断し、
前記特性の前記値が前記指定範囲内であるかどうかに少なくとも部分的に基づき、および前記メッセージの送信に応答して、信号対干渉（ＳＩＲ）目標を増大させるように構成されたモバイルデバイスとを備え、
前記ネットワークデバイスが、前記増大ＳＩＲ目標に従って、前記モバイルデバイスに前記返答を送信するようにさらに構成される、システム。
【発明の詳細な説明】
【技術分野】
【０００１】
関連出願の相互参照
本出願は、その内容全体が参照により組み込まれる、２０１１年２月９日に出願された、米国仮特許出願第６１／４４１，２３８号の優先権を主張する。
【０００２】
本開示は、ワイヤレス通信システムに関する。
【背景技術】
【０００３】
技術の進歩により、コンピューティングデバイスは、より小型でより強力になった。たとえば、現在、小型で軽量な、ユーザが容易に持ち運べるポータブルワイヤレス電話、携帯情報端末（ＰＤＡ）、およびページングデバイスなどのワイヤレスコンピューティングデバイスを含む様々なポータブルパーソナルコンピューティングデバイスが存在する。より具体的には、セルラー電話やインターネットプロトコル（ＩＰ）電話などのポータブルワイヤレス電話は、ボイスおよびデータパケットをワイヤレスネットワークを介して通信することができる。多くのそのようなワイヤレス電話は、エンドユーザに拡張機能を提供するために追加のデバイスを組み込んでいる。たとえば、ワイヤレス電話は、デジタルスチルカメラ、デジタルビデオカメラ、デジタルレコーダ、およびオーディオファイルプレーヤをも含むことができる。また、そのようなワイヤレス電話は、ウェブブラウザアプリケーションなど、インターネットにアクセスするために使用できるソフトウェアアプリケーションを実行することができる。したがって、これらのワイヤレス電話はかなりの計算能力を含むことができる。
【０００４】
広帯域符号分割多元接続（ＷＣＤＭＡ）（登録商標）システムにおけるユーザ機器（ＵＥ）デバイスなどのモバイル通信デバイスは、ワイヤレスネットワークにイベントを報告することができる。たとえば、モバイルデバイスは、受信信号の強度のゆらぎに基づいてイベントを報告することができる。そのような報告は、ハンドオーバおよびセル横断シナリオ中に行うことができる。ただし、そのような報告をトリガする不利な無線受信状態は、ネットワークからの応答を復号するための、モバイルデバイスの能力を悪化させる場合もある。たとえば、ネットワークは、第１のセルへのアクティブリンクを終了するよう、および第２のセルへのアクティブリンクを作成するよう、モバイルデバイスに命令することができる。モバイルデバイスが命令を復号することができない程度まで受信状態が悪化した場合、モバイルデバイスは、デバイスに割り当てられたセル（第１のセル）を介して通信することができない可能性があり、セルを変えることができない可能性がある。その結果、モバイルデバイスは、ネットワークからドロップされ得る。
【０００５】
ネットワーク状態の悪化に対抗しようとして、モバイルデバイスは、信号対干渉（ＳＩＲ）目標を増大させることによって、ネットワークがより多くの電力をモバイルデバイスへの送信に使うことを要求し得る。従来、モバイルデバイスは、ネットワークからのメッセージの復号の失敗に応答して、ＳＩＲ目標を増大させることができる。ただし、メッセージ復号の失敗の検出により、受信が低下する兆候と、ＳＩＲ目標の増大との間の遅延がさらに大きくなる。高速セル横断シナリオ中などに、無線状態が急激に悪化すると、ネットワークと通信するための、モバイルデバイスの能力が失われる可能性がある。
【発明の概要】
【０００６】
受信信号の測定に基づいてＳＩＲ目標を事前に調整する（たとえば、増大させる）ための方法および装置を開示する。たとえば、モバイルデバイスが、低下したネットワーク状態（たとえば、後続受信メッセージの復号に成功する見込みを低下させるネットワーク状態）に関連付けられたいくつかのイベントを報告すると、モバイルデバイスは、ダウンリンクＳＩＲ目標を選択的に増大させることができる。ＳＩＲ目標は、ネットワークからモバイルデバイスによって受信されたパイロットチャネル信号に関連付けられた、受信パイロットチャネルエネルギーと総受信エネルギーとの比（ＣＰＩＣＨ  Ｅｃ／Ｉｏ）のフィルタリングされた値に基づいて増大させることができる。ネットワークは、イベント報告に対する返答（たとえば、制御確認応答メッセージおよび／またはアクティブセット更新（ＡＳＵ）メッセージ）を、ダウンリンク物理チャネル上で増大エネルギーを使うモバイルデバイスに送信することによって、増大ＳＩＲ目標に応答することができる。返答が受信される前にＳＩＲ目標を事前に増大させることによって、モバイルデバイスは、高速セル横断中など、低下したネットワーク状態での返答の復号に成功する見込みがより高くなり得る。
【０００７】
一部の実装形態では、ＣＰＩＣＨ  Ｅｃ／Ｉｏ測定値は適応フィルタリングされ得る。たとえば、適応フィルタは、測定ノイズを削減するが、急激なＣＰＩＣＨ  Ｅｃ／Ｉｏ変化の原因になるほど動的なままであり得る。
【０００８】
特定の実施形態では、方法は、メッセージに対する返答の復号にモバイルデバイスが成功する見込みを低下させるネットワーク状態に関連付けられるメッセージまたはイベント報告の送信に応答して、モバイルデバイスの信号対干渉比（ＳＩＲ）目標を増大させることを含む。いくつかの実施形態では、ＳＩＲ目標は、測定された信号の特性の値が指定範囲内であるかどうかに少なくとも部分的に基づいて増大され得る。
【０００９】
別の特定の実施形態において、方法は、モバイルデバイスによって測定された、受信パイロットチャネルエネルギーと総受信エネルギーとの比（ＣＰＩＣＨ  Ｅｃ／Ｉｏ）を適応フィルタリングすることを含む。適応フィルタリングは、短縮期間中に無限インパルス応答（ＩＩＲ）フィルタの平均化間隔（Ｋ）を短縮して、ＣＰＩＣＨ  Ｅｃ／Ｉｏのフィルタリングされた値における大きい瞬間誤差（たとえば、信号品質の著しい変化によって引き起こされる見込みがある）への高速適応を提供することを含み、その後には、再成長期間中の平均化間隔（Ｋ）の再成長が続く。再成長期間は、短縮期間よりも長い。この方法は、ＣＰＩＣＨ  Ｅｃ／Ｉｏのフィルタリングされた値が指定範囲内であるかどうかに少なくとも部分的に基づいて、モバイルデバイスの信号対干渉比（ＳＩＲ）目標を増大させることも含む。
【００１０】
別の特定の実施形態において、モバイルデバイスは、測定された信号の特性が指定範囲内の値をもつかどうか判断するように構成された比較器を含む。測定された信号は、ワイヤレスネットワークから受信される。モバイルデバイスは、特性の値が指定範囲内であるかどうかに少なくとも部分的に基づいて、および報告イベントに対応するメッセージの送信に応答して、ＳＩＲ目標を増大させるように構成された信号対干渉比（ＳＩＲ）目標調整器も含む。報告イベントは、メッセージに対する返答の復号にモバイルデバイスが成功する見込みを低下させるネットワーク状態に関連付けられる。
【００１１】
別の特定の実施形態において、ネットワークデバイスは、測定された信号の特性が指定範囲内の値をもつかどうか判断するように構成された比較器を含む。測定された信号は、ワイヤレスチャネルを介してモバイルデバイスから受信される。ネットワークデバイスは、特性の値が指定範囲内であるかどうかに少なくとも部分的に基づいて、および報告イベントに対応する、モバイルデバイスへのメッセージの送信に応答して、モバイルデバイスからのアップリンクについてのＳＩＲ目標を増大させるように構成された信号対干渉比（ＳＩＲ）目標調整器も含む。報告イベントは、メッセージに対する返答の復号にネットワークデバイスが成功する見込みを低下させるネットワーク状態に関連付けられる。
【００１２】
別の特定の実施形態において、システムは、信号を送るように構成されたネットワークデバイスと、ネットワークデバイスから信号を受信するように構成されたモバイルデバイスとを含む。モバイルデバイスは、報告イベントに対応するメッセージを送信するようにも構成され、報告イベントは、メッセージに対する返答の復号に成功する見込みを低下させるネットワーク状態に関連付けられる。モバイルデバイスは、信号の特性が指定範囲内の値をもつかどうか判断するように、ならびに特性の値が指定範囲内であるかどうかに少なくとも部分的に基づいて、およびメッセージの送信に応答して、信号対干渉（ＳＩＲ）目標を増大させるようにさらに構成される。ネットワークデバイスは、増大ＳＩＲ目標に従って、モバイルデバイスに返答を送信するように構成される。
【００１３】
開示する実施形態のうち少なくとも１つによって与えられる１つの特定の利点は、後続メッセージの復号に成功する確率を低下させ得る、ネットワーク状態の悪化に応じて、ＳＩＲ目標を選択的に増大させることができることである。
【００１４】
本開示の他の態様、利点、および特徴は、図面の簡単な説明、発明を実施するための形態、および特許請求の範囲という節を含む、本出願全体を検討した後、明らかになろう。
【図面の簡単な説明】
【００１５】
【図１】信号対干渉比（ＳＩＲ）目標を選択的に調整するように動作可能なシステムの特定の実施形態を示す図。
【図２】ＳＩＲ目標の選択的調整をトリガし得るイベントの特定の例を示すテーブル。
【図３】ＳＩＲ目標を選択的に調整する方法の特定の実施形態を示すフローチャート。
【図４】ＳＩＲ目標を選択的に調整する方法の別の特定の実施形態を示すフローチャート。
【図５】測定された信号の特性の値を適応フィルタリングする方法の特定の実施形態を示すフローチャート。
【図６】ＳＩＲ目標を調整するかどうか判断する際に使うことができる特定のフィルタの応答曲線を示すグラフ。
【図７】ＳＩＲ目標を選択的に調整するように動作可能なワイヤレスデバイスのブロック図。
【発明を実施するための形態】
【００１６】
測定された信号の特性に基づく信号強度の増大を要求するシステムおよび方法を開示する。説明のため、モバイルデバイスは、報告イベントを検出し、報告イベントに対応するメッセージを送信することができ、報告イベントは、メッセージに対する返答の復号にモバイルデバイスが成功する見込みを低下させる不利なネットワーク状態に関連付けられる。劣化チャネル（１つまたは複数）を補償するために、モバイルデバイスは、信号対干渉比（ＳＩＲ）目標を選択的に増大させることができる。一部の実装形態では、モバイルデバイスは、測定された信号の特性が指定範囲内の値をもつかどうか判断することができ、特性の値が指定範囲内であるかどうかに少なくとも部分的に基づいて、ＳＩＲ目標を増大させることができる。たとえば、モバイルデバイスは、モバイルデバイスにおける検出イベントを報告するメッセージを送信することができる。ＳＩＲ目標は、メッセージ（たとえば、確認応答メッセージまたはアクティブセット更新メッセージ）に対する返答の受信を向上させるように増大される。開示する技法は、モバイルデバイスにイベント報告を送らせる同じネットワーク状態が、イベント報告に対する返答の復号にモバイルデバイスが成功するのを通常ならば防止する状況において、ネットワークドロップおよび／または復号誤差を削減し得る。
【００１７】
図１を参照すると、ＳＩＲ目標を選択的に調整するように動作可能なシステム１００の特定の実施形態が示されている。システム１００は、ネットワークデバイス１２０に通信可能に結合されたモバイルデバイス１１０を含む。特定の実施形態では、モバイルデバイス１１０はワイヤレス電話であってよく、ネットワークデバイス１２０は、ワイヤレスネットワークを介してモバイルデバイス１１０と通信する基地局、ノードＢ、または他のネットワーク側構成要素であってよい。
【００１８】
概して、本明細書で使用するように、「ネットワーク」は、サーバ、コントローラ、およびワイヤレス通信ネットワークを実装する際に使用される他のハードウェア／ソフトウェアなど、様々なネットワーク要素をまとめて識別し得る。ワイヤレス通信ネットワークを実装するのに使われるネットワーク技術は、ロングタームエボリューション（ＬＴＥ）、広域モバイル通信システム（ＧＳＭ：global system for mobile communications（登録商標））、汎用パケット無線サービス（ＧＰＲＳ）、ＧＳＭ進化型高速データレート（ＥＤＧＥ）、ユニバーサルモバイル電気通信システム（ＵＭＴＳ）、ＵＭＴＳ地上無線アクセスネットワーク（ＵＴＲＡＮ）、汎用無線アクセスネットワーク（ＧＲＡＮ）、エボリューションデータ最適化（１ｘ／ＤＯ）、広帯域符号分割多元接続（ＷＣＤＭＡ）、ワールドワイドインターオペラビリティフォーマイクロウェーブアクセス（ＷｉＭＡＸ）、１つもしくは複数の他の無線アクセス技術、またはそれらのどの組合せも含み得るが、それらに限定されるわけではない。
【００１９】
モバイルデバイス１１０は、比較器１１１を含み得る。特定の実施形態では、比較器１１１は、測定された信号の特性が指定範囲内の値をもつかどうか判断するように構成される。たとえば、モバイルデバイス１１０は、ワイヤレスネットワークを介してネットワークデバイス１２０からパイロットチャネル信号１３１を受信することができ、モバイルデバイス１１０は、パイロットチャネル信号１３１の１つまたは複数の特性を測定することができる。特定の実施形態では、１つまたは複数の特性は、受信パイロットチャネルエネルギーと総受信エネルギーとの比（ＣＰＩＣＨ  Ｅｃ／Ｉｏ）を含む。モバイルデバイス１１０は、ＣＰＩＣＨ  Ｅｃ／Ｉｏ値を生成するための、着信信号の逐次測定を実施することができる。
【００２０】
適応フィルタ１１２（たとえば、適応アルゴリズムと関連した無限インパルス応答（ＩＩＲ）フィルタ）は、測定されたＣＰＩＣＨ  Ｅｃ／Ｉｏのフィルタリングされた値を生じ得る。概して、適応フィルタ１１２は、大きい瞬間誤差への高速適応を行う（たとえば、スプリアス信号強度ゆらぎに起因するＳＩＲ目標調整を防止するために）ことができ、その後には平均化間隔の、比較的遅い再成長が続く。適応フィルタ１１２は、ＣＰＩＣＨ  Ｅｃ／Ｉｏ測定値のノイズを削減するための、十分な平均化を実施することができるが、急激なＣＰＩＣＨ  Ｅｃ／Ｉｏ変化の原因になるのに十分に動的であり得る。例示的適応アルゴリズムについては、図４〜図６を参照してさらに説明する。比較器１１１は、フィルタリングされたＣＰＩＣＨ  Ｅｃ／Ｉｏ値を、指定範囲と比較することができる。例示的な一実施形態では、フィルタリングされたＣＰＩＣＨ  Ｅｃ／Ｉｏ値が、ダウンリンク信号受信が弱まったことを示す−１４ｄＢ以下のとき、フィルタリングされたＣＰＩＣＨ  Ｅｃ／Ｉｏ値は指定範囲内である。代替実施形態では、指定範囲は、無限範囲（たとえば、≦−１４ｄＢ）ではなく、限られた範囲（たとえば、−１４ｄＢ〜−２０ｄＢ）内であり得る。
【００２１】
モバイルデバイス１１０は、信号対干渉比（ＳＩＲ）目標調整器１１３も含み得る。ＳＩＲ目標調整器１１３は、ＣＰＩＣＨ  Ｅｃ／Ｉｏのフィルタリングされた値が指定範囲内（たとえば、−１４ｄＢ以下）であると比較器１１１が判断したことに少なくとも部分的に基づいて、ネットワークデバイス１２０からモバイルデバイス１１０までのダウンリンクについてのＳＩＲ目標を増大させることができる。特定の実施形態では、モバイルデバイス１１０は、ネットワークデバイス１２０に送信される電力制御コマンド（１つまたは複数）１３３（たとえば、「ＵＰ」コマンド）を調整することによって、ＳＩＲ目標を増大させることができる。
【００２２】
特定の実施形態では、ＳＩＲ目標調整器１１３は、モバイルデバイス１１０がネットワークデバイス１２０にメッセージを送信したことに応答して、ＳＩＲ目標を増大させることができ、メッセージは、メッセージに対する返答の復号にモバイルデバイス１１０が成功する見込みを低下させるネットワーク状態に対応する。説明のために、モバイルデバイス１１０は、１つまたは複数のネットワーキング規格に従って、いくつかのイベントを報告するように構成され得る。報告イベントの特定の例については、図２を参照してさらに説明する。報告イベントが起こると、モバイルデバイス１１０は、ネットワークデバイス１２０に報告イベントメッセージ１３２を送信してよく、対応する返答１３４をネットワークデバイス１２０から受信することを期待してよい。返答１３４は、確認応答メッセージ、アクティブセット更新（ＡＳＵ）メッセージ、またはそれらのどの組合せであってもよい。報告イベントが低下ネットワーク状態によって引き起こされると、低下ネットワーク状態により、返答１３４の復号にモバイルデバイス１１０が成功するのが妨げられる場合があり、その結果、モバイルデバイス１１０はネットワークからドロップされ得る。ただし、モバイルデバイス１１０がＳＩＲ目標をあらかじめ増大させているとき、ネットワークデバイス１２０は、増大ＳＩＲに従って増大電力レベルで返答１３４を送信することができ、こうすることにより、モバイルデバイス１１０は、低下ネットワーク状態であっても、返答１３４の復号に成功することが可能になり得る。特定の実施形態では、図４〜図５を参照してさらに説明するように、ＳＩＲ目標は、モバイルデバイス１１０において報告イベントを検出した後、評価時間ウィンドウ内にＣＰＩＣＨ  Ｅｃ／Ｉｏのフィルタリングされた値が指定範囲内（たとえば、−１４ｄＢ以下）であるという判断を条件として増大させることができる。代替として、ＳＩＲ目標は、測定された信号特性に依存しないネットワーク状態または報告イベントに応答して調整され得る。
【００２３】
動作中、モバイルデバイス１１０は、特定の報告イベントに応答して送られる制御確認応答およびＡＳＵなどのダウンリンクプロトコルデータユニット（ＰＤＵ）送信をモバイルデバイス１１０が復号することができないという不利な状況に遭遇する場合がある。たとえば、そのようなイベントは、ＵＭＴＳイベント１ａを含んでよく、このイベントは、高速セル横断シナリオ（たとえば、モバイルデバイス１１０が、ワイヤレスネットワークのあるセルから、ワイヤレスネットワークの別のセルに素早く横断している）を示し得る。高速セル横断の間、「現在の」セルのＣＰＩＣＨ  Ｅｃ／Ｉｏは、イベントを報告するアップリンクＰＤＵ（たとえば、メッセージ１３２）の送信から１４０〜１８０ミリ秒以内に大幅に下落し得る。したがって、モバイルデバイス１１０は、メッセージ１３２に対する返答１３４を復号することができない場合がある。
【００２４】
この状況を改善するために、モバイルデバイス１１０は、ダウンリンクＳＩＲ目標を増大させればよい。ＳＩＲ目標は、メッセージ１３２を送信したことに応答して、および、比較器１１１において、適応フィルタ１１２によって生じたＣＰＩＣＨ  Ｅｃ／Ｉｏのフィルタリングされた値が指定範囲内（たとえば、−１４ｄＢ以下）であると判断したことに応答して、増大させることができる。ネットワークデバイス１２０が増大ＳＩＲに従って返答１３４を送信すると、モバイルデバイス１１０は、返答１３４の復号に成功し得る。たとえば、返答１３４は、不十分な信号強度に関連付けられた現在のセルとのアクティブリンクを終了させ、信号強度が向上した新たなセルとのアクティブリンクを確立するよう、モバイルデバイス１１０に命令するアクティブセット更新（ＡＳＵ）を含み得る。
【００２５】
ダウンリンクＳＩＲ目標を増大させるモバイルデバイス１１０に関して上述したが、ネットワークデバイス１２０も、同様にアップリンクＳＩＲ目標を増大させ得ることに留意されたい。たとえば、ネットワークデバイス１２０は、比較器１２１と、適応フィルタ１２２と、ＳＩＲ目標調整器１２３とを含み得る。比較器１２１は、モバイルデバイス１１０からの測定された信号（たとえば、パイロットチャネル信号１３５）の特性のフィルタリングされた値が指定範囲内であるかどうか判断することができる。フィルタリングされた値が指定範囲内であるとき、ネットワークデバイス１２０は、アップリンク電力レベル目標を増大させることができる。モバイルデバイス１１０は、増大ＳＩＲ目標に従って、後に続くアップリンクメッセージ１３７を送信することができる。
【００２６】
特定の実施形態では、比較器１１１、比較器１２１、適応フィルタ１１２、適応フィルタ１２２、ＳＩＲ目標調整器１１３、およびＳＩＲ目標調整器１２３のうち１つまたは複数は、ハードウェアまたはソフトウェアを使って実装され得る。ソフトウェア実装形態において、上述した構成要素のうち１つまたは複数は、図７を参照してさらに説明するように、プロセッサによって実行可能なプロセッサ可読媒体（たとえば、メモリ）に記憶された命令を使って実装され得る。
【００２７】
図１のシステム１００はしたがって、後続受信メッセージの復号に成功する見込みを低下させるネットワーク状態に応答して、ＳＩＲ目標レベルの事前調整を可能にし得る。一部の実装形態では、ＳＩＲ目標の増大は、信号特性が指定範囲内であるかどうかに基づき得る。さらに、単なるＣＰＩＣＨ  Ｅｃ／Ｉｏ測定ではなく適応フィルタ出力をＳＩＲ目標増大の条件とすることによって、システム１００は、複数のモバイルデバイスが同様に振る舞う（たとえば、同様の条件で同様の時間にＳＩＲ目標増大を要求する）とき、起こり得る容量減少を避けることができる。図１のシステム１００はしたがって、モバイルデバイスのユーザが受けるネットワークドロップの全体的頻度を低下させることができる。
【００２８】
図２は、ＵＭＴＳ無線リソース制御（ＲＲＣ）プロトコルイベントの特定の例のテーブル２００を示す。イベントの各々は、モバイルデバイスによって送信されると、ネットワークデバイスからの対応する返答をトリガし得る。さらに、イベントの各々は、低下した、または急速に低下しつつあるネットワーク状態を示し得る。そのようなネットワーク状態は、受信メッセージ（たとえば、送信メッセージに対する返答）の復号に成功する見込みを低下させる場合があり、したがって、本明細書で開示する技法によるＳＩＲ目標レベルの選択的調整をトリガし得る。
【００２９】
ＳＩＲ目標調整をトリガし得るＵＭＴＳ  ＲＲＣプロトコルイベントは、イベント１ａ、１ｄ、１ｆ、２ｂ、２ｄ、３ａ、および６ａを含み得る。ＵＭＴＳ  ＲＲＣプロトコルイベントについての定義は、ｗｗｗ．３ｇｐｐ．ｏｒｇにある第３世代パートナーシッププロジェクト（３ＧＰＰ）仕様に見ることができる。
【００３０】
図２に示すＵＭＴＳ  ＲＲＣプロトコルイベントは例にすぎないことに留意されたい。特定の実施形態では、様々なＵＭＴＳ  ＲＲＣプロトコルイベントが、ＳＩＲ目標の選択的調整をトリガし得る。さらに、ＵＭＴＳ以外のシステムが使用されるとき、その特定のシステムに関連付けられた様々なイベントが、ＳＩＲ目標調整をトリガし得る。したがって、低下ワイヤレスチャネル状態に関連付けられたものを含むが、それらに限定されない様々なイベントが、本明細書で説明する選択的ＳＩＲ目標調整をトリガし得る。
【００３１】
図３は、ＳＩＲ目標を調整する方法３００の特定の実施形態を示すフローチャートである。例示的な一実施形態では、方法３００は、図１のシステム１００において実施され得る。
【００３２】
方法３００は、３０２で、モバイルデバイスからメッセージを送信することを含み得る。メッセージは、モバイルデバイスにおいて検出された報告イベントに対応してよく、報告イベントは、メッセージに対する返答の復号に成功する見込みを低下させるネットワーク状態に関連付けられる。たとえば、図１において、モバイルデバイス１１０は、ネットワークデバイス１２０にメッセージ１３２を送信することができる。
【００３３】
方法３００は随意に、３０４で、モバイルデバイスにおいて、測定された信号の特性の値が指定範囲内であると判断することを含み得る。特定の実施形態では、値は、ＣＰＩＣＨ  Ｅｃ／Ｉｏのフィルタリングされた値であってよく、値が−１４ｄＢ以下であるとき、値は指定範囲内であり得る。たとえば、図１において、比較器１１１は、適応フィルタ１１２によって生じたフィルタリングされたＣＰＩＣＨ  Ｅｃ／Ｉｏ値が−１４ｄＢ以下であると判断することができる。
【００３４】
方法３００は、３０６で、モバイルデバイスのＳＩＲ目標を増大させることをさらに含み得る。方法３００が、フィルタリングされたＣＰＩＣＨ  Ｅｃ／Ｉｏ値が指定範囲内であると判断することを含むとき、ＳＩＲ目標調整は、この判断に少なくとも部分的に基づいて実施することができる。代替として、ＳＩＲ目標は、どの測定された信号特性にも依存しない、不利なネットワーク状態に応答して調整され得る。
【００３５】
特定の実施形態では、適応フィルタ、すなわちそのような無限インパルス応答（ＩＩＲ）フィルタは、大きい瞬間誤差への高速適応を提供するのに使うことができ、後には平均化間隔（Ｋ）の比較的遅い再成長が続く。説明のために、ＣＰＩＣＨ  Ｅｃ／Ｉｏのフィルタリングされた値は、測定されたＣＰＩＣＨ  Ｅｃ／ＩｏとフィルタリングされたＣＰＩＣＨ  Ｅｃ／Ｉｏとの間の差が差閾値（たとえば、３）を超えるかどうかに少なくとも部分的に基づいて判断されるフィルタ平均化間隔α（アルファ）により判断され得る。たとえば、ｘ（ｋ）は、測定されたＣＰＩＣＨ  Ｅｃ／Ｉｏの第ｋの値を示すことができ、ｙ（ｋ）は、フィルタリングされたＣＰＩＣＨ  Ｅｃ／Ｉｏの第ｋの値を示すことができる。ｘ（ｋ）とｙ（ｋ）との間の差が差閾値を超える（たとえば、｜ｙ（ｋ）−ｘ（ｘ）｜＞３）とき、パイロットチャネル強度は、素早く変化している可能性がある。測定されたＣＰＩＣＨ  Ｅｃ／ＩｏとフィルタリングされたＣＰＩＣＨ  Ｅｃ／Ｉｏとの間の差が差閾値を超え、前記平均化間隔（Ｋ）の値が下限よりも大きいことに応答して、フィルタ平均化間隔（α）の値を増大させることができる。そうでない場合、測定されたＣＰＩＣＨ  Ｅｃ／ＩｏとフィルタリングされたＣＰＩＣＨ  Ｅｃ／Ｉｏとの間の差が、あらかじめ規定された逐次比較回数についての差閾値を超えず、前記平均化間隔（Ｋ）の値が上限未満であることに応答して、フィルタ平均化間隔（α）の値を低下させることができる。
【００３６】
ＣＰＩＣＨ  Ｅｃ／Ｉｏの適応フィルタリングは、再成長期間中の平均化間隔（Ｋ）の再成長が後に続く、ＣＰＩＣＨ  Ｅｃ／Ｉｏのフィルタリングされた値における大きい瞬間誤差への高速適応を提供するように、短縮期間中に平均化間隔（Ｋ）を短縮することを含むことができ、ここで再成長期間は、短縮期間よりも長い。したがって、ＳＩＲ目標は、値（たとえば、フィルタリングされたＣＰＩＣＨ  Ｅｃ／Ｉｏ）が、報告イベント（たとえば、ＵＭＴＳ  ＲＲＣプロトコルイベント１ａ、２ｂ、３ａ、２ｄ、１ｄ、１ｆ、または６ａ）の検出の後、評価時間ウィンドウ内に指定範囲内であるという判断を条件として増大させることができる。ＣＰＩＣＨ  Ｅｃ／Ｉｏのフィルタリングされた値が指定範囲内に収まる（たとえば、−１４ｄＢ以下である）場合、ＳＩＲ目標を増大させることができ、評価時間ウィンドウを打ち切ることができる。その結果、報告イベントに起因するＳＩＲ目標増大は、報告イベントが検出されたすぐ後に、ＣＰＩＣＨ  Ｅｃ／Ｉｏ測定値に基づいて起こることができ、報告イベントごとに、一度のＳＩＲ目標増大のみが起こり得る。
【００３７】
例示的な一実施形態では、適応フィルタリングは、（たとえば、２０ミリ秒ごと、可変時間間隔の後で周期的に、および／または対応可能なときは常に）探索器によって適応フィルタに与えられる未加工ＣＰＩＣＨ  Ｅｃ／Ｉｏ値に対して、以下の擬似コードにより実施され得る。
【００３８】
K = 8; alpha = [1/K];
y1(0) = <INIT>;
regrowthTimer = 0;
for each new reading x(k)
//Update alpha to current error
if (abs(y(k-1) − x(k)) >= 3 (in dB)) 
K = max(4, ceil(K/2)); //AlphaLimit = 4 (default)
regrowthTimer = 0;    //Reset regrowth timer after growing
else
regrowthTimer = regrowthTimer + 1;
if (regrowthTimer == 8) //Check RegrowthFactor 4 times before decreasing alpha
K = min(8, K+1);
regrowthTimer = 0; %Reset regrowth timer after growing
end
end
alpha = 1/K;
y(k) = x(k)*alpha + (1 - alpha)*y(k-1); //Filter with updated alpha
end
上記擬似コードは、イベント（図２のテーブルによって識別されるイベント）のリストについて画定され得る。ＵＥが、イベントリスト中のどのイベントをトリガしても、ＵＥは、上記擬似コードによって定義されるフィルタに基づいて、ＣＰＩＣＨ  Ｅｃ／Ｉｏの評価期間（ＥｖａｌＷｉｎｄｏｗ）に入り得る。特定の実施形態では、評価期間（たとえば、評価ウィンドウ）は、４００ミリ秒に等しくてよい。フィルタリングされたＣＰＩＣＨ  Ｅｃ／Ｉｏが、評価ウィンドウ内で−１４ｄＢ以下のとき、ＵＥは、ＳＩＲ目標を１ｄＢだけ増大させることができる。
【００３９】
イベント送信時に、イベントタイムスタンプをセットし、評価ウィンドウを開始する
ｙ（ｋ）≦−１４（ｄＢ）＆＆（現在時刻−イベントタイムスタンプ）≦ＥｖａｌＷｉｎｄｏｗである場合
（ＳＩＲ目標）を最大１ｄＢだけ更新する
評価ウィンドウを停止する
終了
図４は、上記擬似コードに従ってＳＩＲ目標を選択的に増大させる方法４００の特定の実施形態を示すフローチャートである。例示的な一実施形態では、方法４００は、図１のシステム１００において実施され得る。
【００４０】
方法４００は、４０２で、指定イベントがモバイルデバイスにおいて検出されるかどうか判断することを含み得る。特定の実施形態では、指定イベントは、ＵＭＴＳ  ＲＲＣプロトコルイベント１ａ、１ｄ、１ｆ、２ｂ、２ｄ、３ａ、または６ａのうちいずれでもよい。たとえば、図１を参照すると、モバイルデバイス１１０は、指定された報告イベントが検出されるかどうか判断することができる。
【００４１】
指定された報告イベントが検出されないと判断されたとき、方法４００は、４０２に戻ればよい。指定された報告イベントが検出されると判断されたとき、方法４００は、４０４で、モバイルデバイスからイベント報告を送信することを含み得る。たとえば、図１を参照すると、モバイルデバイス１１０は、イベントを報告するメッセージ１３２を送信することができる。さらに、上記擬似コードによると、イベントタイムスタンプは、イベント報告の送信時間にセットすることができ、４００ミリ秒の評価ウィンドウがスタートされ得る。
【００４２】
４０６に進むと、方法４００は、モバイルデバイスが評価ウィンドウ内であるかどうか判断することを含み得る。つまり、モバイルデバイスは、現在時刻とイベントタイムスタンプとの間の差が評価ウィンドウ未満かどうか判断することができる。モバイルデバイスがもはや評価ウィンドウ内でないとき、方法４００は４０２に戻ればよい。
【００４３】
モバイルデバイスが評価ウィンドウ内であるとき、方法４００は、４０８で、モバイルデバイスにおいて、次のフィルタリングされたＣＰＩＣＨ  Ｅｃ／Ｉｏ値ｙ（ｋ）を判断することを含み得る。たとえば、図１を参照すると、適応フィルタ１１２は、次のフィルタリングされたＣＰＩＣＨ  Ｅｃ／Ｉｏ値を判断することができる。例示的な一実施形態では、値ｙ（ｋ）は、図５の方法に従って判断され得る。
【００４４】
４１０に続くと、方法４００は、フィルタリングされたＣＰＩＣＨ  Ｅｃ／Ｉｏ値ｙ（ｋ）が−１４ｄＢ以下であるかどうか判断することを含み得る。ｙ（ｋ）が−１４ｄＢ以下でないとき、方法４００は４０６に戻ればよい。ｙ（ｋ）が−１４ｄＢ以下のとき、方法４００は、４１２で、ＳＩＲ目標を増大させ、評価ウィンドウを停止することを含み得る。
【００４５】
図５は、次のフィルタリングされたＣＰＩＣＨ  Ｅｃ／Ｉｏ値を判断する方法５００の特定の実施形態を示すためのフローチャートである。例示的な一実施形態では、方法５００は、図１の適応フィルタ１１２によって実施され得る。
【００４６】
方法５００は、５０２で、変数Ｋを８に、フィルタ平均化間隔アルファ（α）を１／Ｋに、および再成長タイマをゼロに初期化することを含み得る。５０４に進むと、第ｋのＣＰＩＣＨ  Ｅｃ／Ｉｏ示度ｘ（ｋ）が測定され得る。５０６に続くと、第ｋのフィルタリングされたＣＰＩＣＨ  Ｅｃ／Ｉｏ値が、公式ｙ（ｋ）＝ｘ（ｋ）*α＋（１−α）*ｙ（ｋ−１）により生成され得る。
【００４７】
方法５００は、５０８で、ＣＰＩＣＨ  Ｅｃ／Ｉｏのフィルタリングされた値と測定値との間の差（すなわち、｜ｙ（ｋ）−ｘ（ｋ）｜）が差閾値よりも大きいかどうか判断することを含み得る。特定の実施形態では、差閾値は３であり得る。代替実施形態では、差閾値は別の値であり得る。差が差閾値よりも大きいとき、方法５００は、５１０で、Ｋに対する下限に従って、Ｋを（たとえば、半分だけ）低下させ、再成長タイマをゼロにリセットすることを含み得る。方法５００は継続し、５１８で、αを１／Ｋに更新し、５０４に戻ればよい。
【００４８】
差が差閾値未満のとき、方法５００は、５１２で、再成長タイマを増分することを含み得る。５１４に進むと、方法５００は、前回のフィルタ係数変化以降、再成長タイマが所定の測定回数を超えたかどうか判断することを含み得る。再成長タイマが所定の回数を超えていないとき、方法５００は、５１８で、αを１／Ｋに更新することを含んでよく、５０４に戻ればよい。再成長タイマが所定の回数を超えている場合、方法５００は、５１６で、Ｋに対する上限に従って、Ｋを（たとえば、１だけ）増大させ、再成長タイマをゼロにリセットすることを含み得る。方法５００は継続し、５１８で、αを１／Ｋに更新し、ｋを増分し（たとえば、ｋ＝ｋ＋１）、５０４に戻ればよい。
【００４９】
図６は、図４〜図５の方法を参照して説明した（「適応フィルタ低速再成長（２０ｍｓ）」と特定した）適応フィルタを含む、ＳＩＲ目標を調整するのに使うことができる特定のフィルタの応答曲線を示すグラフ６００を示す。デフォルトの１／８ＩＩＲフィルタ、デフォルトの１／４ＩＩＲフィルタ、およびより速い再成長を示す適応フィルタの応答曲線も示してある。具体的には、図６は、ＵＥがキャンプされる現在のセルが３００ミリ秒期間にわたって大幅に弱まるときのフィルタ応答曲線を示す。したがって、適応フィルタリングパラメータは、ネットワーク状態を素早く悪化させる際に（たとえば、高速セル横断中に）ＳＩＲ目標増大をトリガするのに十分に動的なままでありながら、測定ノイズを許容レベルまで削減する好ましい応答曲線を達成するように、経験的に判断され得ることが諒解されよう。
【００５０】
いくつかの状況において、上記適応フィルタリングアルゴリズムは、可能性として、巡回冗長検査（ＣＲＣ）およびブロック誤り率（Ｂｌｅｒ）／ブロックエラーレートテスト（Ｂｌｅｒｔ）のみに一般に基づくアウターループ電力制御（ＯＬＰＣ）挙動を不安定にさせ得ることに留意されたい。したがって、このアルゴリズムは、ＯＬＰＣが既存の要件に収束し得るようにさらに画定され得る。収束は、ＣＰＩＣＨ  Ｅｃ／Ｉｏが依然として低いときに、複数のイベントが互いの短い間隔内で報告されるときは起こり得ない。したがって、上記適応フィルタリングアルゴリズムがＳＩＲ目標を変えることができないようにされ得る追加タイマを使うことができる（以下の擬似コード参照）。
【００５１】
ＯＬＰＣ  Ｉｎｉｔにおいて：
フレームタイマリミットを計算する  Ｔｌｉｍ＝Ｍａｘ｛すべての送信チャネルにわたって（２*（１−Ｂｌｅｒｔ）／Ｂｌｅｒｔ*ＴＴＩ＿Ｌｅｎｇｔｈ＿ｉｎ＿Ｆｒａｍｅｓ）｝
ＳＩＲ目標増大の後：
開始フレームタイマｔ＝０
ｔ＜Ｔｌｉｍである間、イベント報告によってＳＩＲ目標増大がトリガされないようにする
伝送形式組合せインジケータ（ＴＦＣＩ）送信のケースでは、チャネルが休止に入り、または出る原因となる、より堅牢なタイマが使われ得ることに留意されたい。
【００５２】
図７は、モバイル通信デバイス７００のブロック図である。一実施形態では、モバイル通信デバイス７００、またはその構成要素は、図１のモバイルデバイス１１０を含み、またはデバイス１１０に含まれる。さらに、本明細書で説明した擬似コードおよび図３〜図５に示した方法の全部または一部は、モバイル通信デバイス７００において、またはデバイス７００によって実施することができる。モバイル通信デバイス７００は、メモリ７３２に結合されたデジタル信号プロセッサ（ＤＳＰ）などのプロセッサ７１０を含む。
【００５３】
メモリ７３２は、命令を記憶する非一時的有形プロセッサ可読媒体であってもよい。命令は、本明細書で説明した１つまたは複数の機能または方法を実行するために、プロセッサ７１０によって実行可能であり得る。たとえば、メモリ７３２は、図３〜図５に示した方法のうち１つまたは複数を実施するように、プロセッサ７１０によって実行可能な命令７６０を含み得る。代替または追加として、プロセッサ７１０は、たとえばフィールドプログラム可能ゲートアレイ（ＦＰＧＡ）実装形態、ファームウェア実装形態、コントローラベースの実装形態など、図３〜図５に示した方法のうち１つまたは複数のハードウェア実装形態を含み得る。説明のために、プロセッサ７１０は、比較器７１１（たとえば、図１の比較器１１１）と、適応フィルタ７１２（たとえば、図１の適応フィルタ１１２）と、ＳＩＲ目標調整器７１３（たとえば、図１のＳＩＲ目標調整器１１３）とを含み得る。特定の実施形態では、図３〜図５の方法は、部分的にはソフトウェアによって実装され、部分的にはハードウェアによって実装され得る。
【００５４】
図７はまた、プロセッサ７１０とディスプレイ７２８とに結合されたディスプレイコントローラ７２６を示す。符号化器／復号器（ＣＯＤＥＣ）７３４もまた、プロセッサ７１０に結合することができる。スピーカー７３６およびマイクロフォン７３８はＣＯＤＥＣ７３４に結合され得る。図７は、ワイヤレスコントローラ７４０がプロセッサ７１０に、および少なくとも１つのワイヤレスアンテナ７４２と通信し得る無線周波数ベースバンド（ＲＦ−ＢＢ）リソースチェーン７４１に結合され得ることも示す。
【００５５】
特定の実施形態では、プロセッサ７１０、ディスプレイコントローラ７２６、メモリ７３２、ＣＯＤＥＣ７３４、ワイヤレスコントローラ７４０、およびＲＦ−ＢＢリソースチェーン７４１は、システムインパッケージまたはシステムオンチップデバイス７２２に含まれる。特定の実施形態では、入力デバイス７３０および電源７４４はシステムオンチップデバイス７２２に結合される。その上、特定の一実施形態では、図７に示すように、ディスプレイデバイス７２８、入力デバイス７３０、スピーカー７３６、マイクロフォン７３８、ワイヤレスアンテナ７４２、および電源７４４は、システムオンチップデバイス７２２の外部にある。ただし、ディスプレイデバイス７２８、入力デバイス７３０、スピーカー７３６、マイクロフォン７３８、ワイヤレスアンテナ７４２、および電源７４４の各々は、インターフェースまたはコントローラなど、システムオンチップデバイス７２２の構成要素に結合され得る。
【００５６】
開示する実施形態とともに、測定された信号の特性が、指定範囲内の値をもつかどうか判断するための手段を含む装置が開示される。測定された信号は、ワイヤレスネットワークを介して受信される。たとえば、判断するための手段は、図１の比較器１１１、図１の適応フィルタ１１２、図１の比較器１２１、図１の適応フィルタ１２２、図１の比較器７１１、図７の適応フィルタ７１２、測定された信号の特性が指定範囲内の値をもつかどうか判断するように構成された１つもしくは複数の他のデバイス、またはそれらのどの組合せも含み得る。
【００５７】
装置は、特性の値が指定範囲内であるかどうかに少なくとも部分的に基づいて、および報告イベントに対応するメッセージの送信に応答して、ＳＩＲ目標を増大させるための手段も含み、報告イベントは、メッセージに対する返答を復号する見込みを低下させるネットワーク状態に関連付けられる。たとえば、ＳＩＲ目標を増大させるための手段は、図１のＳＩＲ目標調整器１１３、図１のＳＩＲ目標調整器１２３、図７のＳＩＲ目標調整器７１３、またはそれらのどの組合せも含み得る。
【００５８】
特定の実施形態では、判断するための手段および増大させるための手段のうち少なくとも１つは、図１のモバイルデバイス１１０または図７のモバイル通信デバイス７００などのモバイルデバイスに統合され得る。別の特定の実施形態では、判断するための手段および増大させるための手段のうち少なくとも１つは、図１のネットワークデバイス１２０などのネットワークデバイスに統合され得る。
【００５９】
本明細書で開示した実施形態に関して説明した様々な例示的な論理ブロック、構成、モジュール、回路、およびアルゴリズムステップは、電子ハードウェア、コンピュータソフトウェア、または両方の組合せとして実装でき得ることを、当業者はさらに諒解されよう。様々な例示的な構成要素、ブロック、構成、モジュール、回路、およびステップを、上記では概して、それらの機能に関して説明した。そのような機能をハードウェアとして実装するか、プロセッサによって実行可能なソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００６０】
本明細書で開示する実施形態に関して説明する方法またはアルゴリズムのステップは、直接ハードウェアで実施するか、プロセッサによって実行されるソフトウェアモジュールで実施するか、またはその２つの組合せで実施されてもよい。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ）、レジスタ、ハードディスク、リムーバブルディスク、コンパクトディスク読取り専用メモリ（ＣＤ−ＲＯＭ）、または当技術分野で知られている他の形態の非一時的記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化することができる。プロセッサおよび記憶媒体は特定用途向け集積回路（ＡＳＩＣ）中に常駐してもよい。ＡＳＩＣはコンピューティングデバイスまたはユーザ端末（たとえば、モバイル電話またはＰＤＡなど）の中に常駐してもよい。代替として、プロセッサおよび記憶媒体は、コンピューティングデバイスまたはユーザ端末中に個別構成要素として常駐してもよい。
【００６１】
開示した実施形態の上記の説明は、開示した実施形態を当業者が作成または使用できるように行ったものである。これらの実施形態への様々な変更は当業者にはすぐに明らかになり、本明細書で定義された原理は本開示の範囲から逸脱することなく他の実施形態に適用できる。したがって、本開示は、本明細書で開示する実施形態に限定されるものではなく、以下の特許請求の範囲によって定義される原理および新規の特徴と合致することが可能な最も広い範囲が与えられるべきものである。
以下に本願出願当初の特許請求の範囲を付記する。
[Ｃ１]  モバイルデバイスにおける報告イベントに対応するメッセージを送信することであって、前記報告イベントが、前記メッセージに対する返答の復号に前記モバイルデバイスが成功する見込みを低下させるネットワーク状態に関連付けられることと、
前記メッセージの送信に応答して、前記モバイルデバイスの信号対干渉比（ＳＩＲ）目標を増大させることとを備える方法。
[Ｃ２]  前記モバイルデバイスの前記ＳＩＲ目標が、測定された信号の特性の値が指定範囲内であるかどうかに少なくとも部分的に基づいて増大される、Ｃ１に記載の方法。
[Ｃ３]  前記モバイルデバイスにおいて、前記測定された信号の前記特性の前記値が前記指定範囲内であるかどうか判断することをさらに備え、前記測定された信号が、ワイヤレスネットワークのネットワークデバイスから受信される、Ｃ２に記載の方法。
[Ｃ４]  前記ＳＩＲ目標が、前記モバイルデバイスにおける前記報告イベントの検出後の評価時間ウィンドウ内に、前記特性の前記値が前記指定範囲内であるという判断を条件として増大される、Ｃ２に記載の方法。
[Ｃ５]  前記測定された信号がパイロットチャネル信号を含む、Ｃ２に記載の方法。
[Ｃ６]  前記特性の前記値が、前記モバイルデバイスによって測定された、受信パイロットチャネルエネルギーと総受信エネルギーとの比（ＣＰＩＣＨ  Ｅｃ／Ｉｏ）のフィルタリングされた値を含む、Ｃ５に記載の方法。
[Ｃ７]  前記ＣＰＩＣＨ  Ｅｃ／Ｉｏの前記フィルタリングされた値が−１４ｄＢ以下のとき、前記ＣＰＩＣＨ  Ｅｃ／Ｉｏの前記フィルタリングされた値が前記指定範囲内である、Ｃ６に記載の方法。
[Ｃ８]  前記ＣＰＩＣＨ  Ｅｃ／Ｉｏの前記フィルタリングされた値が、測定されたＣＰＩＣＨ
Ｅｃ／ＩｏとフィルタリングされたＣＰＩＣＨ  Ｅｃ／Ｉｏとの間の差が差閾値値を超えるかどうかに少なくとも部分的に基づいて判断されるフィルタ平均化間隔の値により判断される、Ｃ６に記載の方法。
[Ｃ９]  前記差閾値が３に等しい、Ｃ８に記載の方法。
[Ｃ１０]  前記測定されたＣＰＩＣＨ  Ｅｃ／Ｉｏと前記フィルタリングされたＣＰＩＣＨ  Ｅｃ／Ｉｏとの間の前記差が前記差閾値を超え、前記フィルタ平均化間隔の前記値が下限よりも大きいことに応答して、前記フィルタ平均化間隔の前記値を減少させることと、
前記測定されたＣＰＩＣＨ  Ｅｃ／Ｉｏと前記フィルタリングされたＣＰＩＣＨ  Ｅｃ／Ｉｏとの間の前記差が、あらかじめ規定された逐次比較回数についての前記差閾値を超えず、前記フィルタ平均化間隔の前記値が上限未満であることに応答して、前記フィルタ平均化間隔の前記値を増加させることとをさらに備える、Ｃ８に記載の方法。
[Ｃ１１]  前記返答が、確認応答メッセージおよびアクティブセット更新メッセージのうち少なくとも１つを含む、Ｃ１に記載の方法。
[Ｃ１２]  モバイルデバイスによって測定された、受信パイロットチャネルエネルギーと総受信エネルギーとの比（ＣＰＩＣＨ  Ｅｃ／Ｉｏ）を適応フィルタリングすることであって、前記適応フィルタリングが、短縮期間中に無限インパルス応答（ＩＩＲ）フィルタの平均化間隔を短縮して、前記ＣＰＩＣＨ  Ｅｃ／Ｉｏのフィルタリングされた値における大きい瞬間誤差への高速適応を提供することを含み、その後に再成長期間中の前記平均化間隔の再成長が続き、前記再成長期間が前記短縮期間よりも長いことと、
前記ＣＰＩＣＨ  Ｅｃ／Ｉｏの前記フィルタリングされた値が指定範囲内であるかどうかに少なくとも部分的に基づいて、前記モバイルデバイスの信号対干渉比（ＳＩＲ）目標を増大させることとを備える方法。
[Ｃ１３]  前記モバイルデバイスにおいて、前記ＣＰＩＣＨ  Ｅｃ／Ｉｏの前記フィルタリングされた値が前記指定範囲内であるかどうか判断することをさらに備える、Ｃ１２に記載の方法。
[Ｃ１４]  測定された信号の特性が指定範囲内の値をもつかどうか判断するように構成され、前記測定された信号が、ワイヤレスネットワークのネットワークデバイスから受信される、比較器と、
前記特性の前記値が前記指定範囲内であるかどうかに少なくとも部分的に基づき、および報告イベントに対応するメッセージの送信に応答して、信号対干渉比（ＳＩＲ）目標を増大させるように構成され、前記報告イベントが、前記メッセージに対する返答の復号に前記モバイルデバイスが成功する見込みを低下させるネットワーク状態に関連付けられる、ＳＩＲ目標調整器とを備えるモバイルデバイス。
[Ｃ１５]  前記測定された信号がパイロット信号を含み、前記特性の前記値が、受信パイロットチャネルエネルギーと総受信エネルギーとの比（ＣＰＩＣＨ  Ｅｃ／Ｉｏ）のフィルタリングされた値を含む、Ｃ１４に記載のモバイルデバイス。
[Ｃ１６]  測定された信号の特性が指定範囲内の値をもつかどうか判断するように構成され、前記測定された信号が、ワイヤレスチャネルのモバイルデバイスを介して受信される、比較器と、
前記特性の前記値が前記指定範囲内であるかどうかに少なくとも部分的に基づき、および前記モバイルデバイスへの、報告イベントに対応するメッセージの送信に応答して、前記モバイルデバイスからのアップリンクについての信号対干渉比（ＳＩＲ）目標を増大させるように構成され、前記報告イベントが、前記メッセージに対する返答の復号に前記ネットワークデバイスが成功する見込みを低下させるネットワーク状態に関連付けられる、ＳＩＲ目標調整器とを備えるネットワークデバイス。
[Ｃ１７]  前記測定された信号がパイロットチャネル信号を含み、前記特性の前記値が、受信パイロットチャネルエネルギーと総受信エネルギーとの比（ＣＰＩＣＨ  Ｅｃ／Ｉｏ）のフィルタリングされた値を含む、Ｃ１６に記載のネットワークデバイス。
[Ｃ１８]  測定された信号の特性が、指定範囲内の値をもつかどうか判断し、前記測定された信号が、ワイヤレスネットワークを介して受信される、手段と、
前記特性の前記値が前記指定範囲内であるかどうかに少なくとも部分的に基づき、および報告イベントに対応するメッセージの送信に応答して、信号対干渉（ＳＩＲ）目標を増大させる、前記報告イベントが前記メッセージに対する返答を復号する見込みを低下させるネットワーク状態に関連付けられる、手段とを備える装置。
[Ｃ１９]  前記測定された信号がパイロットチャネル信号を含む、Ｃ１８に記載の装置。
[Ｃ２０]  プロセッサによって実行されると、前記プロセッサに、
メッセージに対する返答の復号に前記モバイルデバイスが成功する見込みを低下させるネットワーク状態に関連付けられる、モバイルデバイスにおける報告イベントに対応する前記メッセージを送信させ、
前記メッセージの送信に応答して、モバイルデバイスの信号対干渉比（ＳＩＲ）目標を増大させる命令を備える非一時的プロセッサ可読媒体。
[Ｃ２１]  前記返答が、確認応答メッセージおよびアクティブセット更新メッセージのうち少なくとも１つを含み、前記測定された信号がパイロットチャネル信号を含む、Ｃ２０に記載の非一時的プロセッサ可読媒体。
[Ｃ２２]  ネットワークデバイスによって、モバイルデバイスによって受信された信号を送ることと、
前記モバイルデバイスによって、報告イベントに対応するメッセージを送信することであって、前記報告イベントが、前記メッセージに対する返答の復号に成功する見込みを低下させるネットワーク状態に関連付けられることと、
前記モバイルデバイスにおいて、前記信号の特性が指定範囲内の値をもつかどうか判断し、前記特性の前記値が前記指定範囲内であるかどうかに少なくとも部分的に基づき、および前記メッセージの送信に応答して、信号対干渉（ＳＩＲ）目標を増大させることと、
前記ネットワークデバイスによって、前記増大ＳＩＲ目標に従って前記モバイルデバイスに前記返答を送信することとを備える方法。
[Ｃ２３]  信号を送るように構成されたネットワークデバイスと、
前記ネットワークデバイスから前記信号を受信し、
メッセージに対する返答の復号に成功する見込みを低下させるネットワーク状態に関連付けられる報告イベントに対応する前記メッセージを送信し、
前記信号の特性が指定範囲内の値をもつかどうか判断し、前記特性の前記値が前記指定範囲内であるかどうかに少なくとも部分的に基づき、および前記メッセージの送信に応答して、信号対干渉（ＳＩＲ）目標を増大させるように構成されたモバイルデバイスとを備え、
前記ネットワークデバイスが、前記増大ＳＩＲ目標に従って、前記モバイルデバイスに前記返答を送信するようにさらに構成される、システム。
【図１】
0005710790.tif 000002
【図２】
0005710790.tif 000003
【図３】
0005710790.tif 000004
【図４】
0005710790.tif 000005
【図５】
0005710790.tif 000006
【図６】
0005710790.tif 000007
【図７】
0005710790.tif 000008